(57)【要約】【課題】携帯電話器の表示部の画像を大画面に表示させても画像が荒くならないと共に、撮影者の音声等をＴＶに送ることで、臨場感の得られる撮影が可能なシステムを得る。【解決手段】高画素数のＣＣＤカメラで携帯電話器１０の表示部の画像（カメラ付きの場合は、カメラで撮影した画像、又は外部のカメラ付き携帯電話器から受信した画像））を撮影してテレビジョン１３に送出することで、大画面でも劣化のない映像を表示させていると共に、分配器１５でヘッドセット２２からの音声又はミキサ２４からの音声を入力し、レベル調整してＬＩＮ−ＯＵＴ、ＥＲＡＰＨＯＮ端子から携帯電話器１０、テレビジョン１３に分配出力する。【選択図】      図１
2004312280.tif 000002
【特許請求の範囲】
【請求項１】
携帯電話器の映像の表示部を、高画素数のカメラで撮影して、これを大画面モニタで再生する携帯電話器を用いた映像システムであって、
前記携帯電話器は、前記表示部の全体を視野とする外部カメラを可動状態で取りつけたホルダに保持固定されたホルダー一体型の携帯電話装置と、
マイクロホン、イヤホンを有するヘッドセットと、
前記ホルダー一体型の携帯電話装置からの音声信号及び前記ヘッドセットからの音声信号を入力し、これらの音声信号の感度、音量を調整して前記大画面モニタ、前記携帯電話器、ヘッドセットに分配する分配器と
を有することを特徴とする携帯電話器を用いた映像システム。
【請求項２】
前記携帯電話器は、前記カメラより画素数が少ないＣＣＤカメラを備え、ネットワークを介して送信されてきた映像を任意選択できる切換え手段を有し、この切換え手段により切替えられた映像を前記表示部に表示し、この表示された前記映像を前記外部カメラが撮影し、大画面モニタで再生する事を特徴とする請求項１記載の携帯電話器を用いた映像システム。
【発明の詳細な説明】
【０００１】
【発明の属する技術分野】
本発明は、電子カメラが内蔵された、カメラ付き携帯電話器の表示部の映像を大画面に拡大するシステムに関するものである。
【０００２】
【従来の技術】
携帯電話器も最初は音声のみの通信手段だったものが段々と進化し、文字や記号の送受信出来るメール機能が加わり、更には携帯電話器本体にカメラが内蔵されて映像の送受信も可能な機種も多く使用されてきている。
【０００３】
そして、携帯電話器はあくまでも送信者と受信者との一対一の情報交換するもので、カメラ付き携帯電話器も同様である。
【０００４】
例えば、特開２００２−１３５７１２号公報（特許文献１）は、カメラ付き携帯電話器１からのディジタル映像及び音声信号を記録再生装置８に送信して記録（伸張、圧縮して記録）再生させている。
【０００５】
【特許文献１】
特開２００２−１３５７１２号公報
【０００６】
【発明が解決しようとする課題】
しかしながら、カメラ付き携帯電話器のカメラの画素数は、１５万画素程度が殆どであり、受信側で再生して、このまま表示した場合は、映像が荒くなるという課題があった。
【０００７】
また、携帯電話器で受信した映像を多人数で楽しみたいときが有る。それには、携帯電話器の画面は小さ過ぎることと、一般に携帯電話器の画面は液晶により構成されているため視角度の制限から、せいぜい２人程度の限られた人数でしか見ることが出来ない。
【０００８】
この様な時に、携帯電話器から映像信号を映像モニタに送信する事も考えられるが、映像信号方式の違い、アスペクト比の違いおよびドット数の違い等からそのままでは接続出来ない。
【０００９】
例えば、結婚式の模様を、カメラ付き携帯電話器で撮影して外部の携帯電話器に送信し、テレビジョン、プロジェクタに映像を表示させた場合は、画像が劣化するという課題があった。
【００１０】
本発明は以上の課題を解決するためになされたもので、携帯電話器の表示部の画像を大画面に表示させても画像が荒くならないと共に、撮影者の音声等をＴＶに送ることで、臨場感の得られる撮影が可能なシステムを得る。
【００１１】
【課題を解決するための手段】
本発明は、携帯電話器の映像の表示部を、高画素数のカメラで撮影して、これを大画面モニタで再生する携帯電話器を用いた映像システムである。
【００１２】
前記携帯電話器は、前記表示部の全体を視野とする外部カメラを可動状態で取りつけたホルダに保持固定されたホルダー一体型の携帯電話装置と、マイクロホン、イヤホンを有するヘッドセットと、前記ホルダー一体型の携帯電話装置からの音声信号及び前記ヘッドセットからの音声信号を入力し、これらの音声信号の感度、音量を調整して前記大画面モニタ、前記携帯電話器、ヘッドセットに分配する分配器とからなることを要旨とする。
【００１３】
【発明の実施の形態】
図１は本実施の形態の携帯電話器を用いた映像システムの概略構成図である。図１に示すように、本実施の形態の映像システムは、ＣＣＤカメラ１２（またはＣ−ＭＯＳ受光素子内蔵カメラ）、カメラ保持部８等からなる撮影部９を、アーチ状の連結棒７でホルダー１１に連結させ、このホルダー１１で携帯電話器１０（カメラ付き携帯電話器であってもよい）を挟持する。そして、ＣＣＤカメラ１２のケーブル１６をテレビジョン１３に接続し、携帯電話器１０の音声入出力端子１４と後述する分配器１５のＴＥＬ端子とをケーブル１７で接続する。
【００１４】
また、分配器１５のＬＩＮＥ−ＯＵＴ端子とテレビジョン１３の音声入力端子とをケーブル１８で接続し、分配器１５のＬＩＮＥ−ＩＮ端子とミキサ２４とをケーブル２０で接続し、ヘッドセット２２（携帯電話器１０の操作者）と分配器１５のＥＡＲＨＯＮＥ端子とをケーブル２２で接続する。前述のＣＣＤカメラ１２の画素数は４１万画素以上が好ましい。
【００１５】
つまり、本実施の形態は、高画素数のＣＣＤカメラ１２で携帯電話器１０の表示部の画像（カメラ付きの場合は、カメラで撮影した画像、又は外部のカメラ付き携帯電話器から受信した画像））を撮影してテレビジョン１３に送出することで、大画面でも劣化のない映像を表示させると共に、分配器１５でヘッドセット２２からの音声又はミキサ２４からの音声を入力し、レベル調整してＬＩＮ−ＯＵＴ、ＥＲＡＰＨＯＮ端子から携帯電話器１０、テレビジョン１３に分配出力する。
【００１６】
図２は本実施の形態のホルダの概略構成図である。携帯電話器１０は液晶素子より構成される映像の表示部２６が設けられ、また、表示部２６の裏側上部付近にカメラ２７が設けられている。
【００１７】
ホルダ１１は表示部２６を撮影するための、例えばＣＣＤまたはＣ−ＭＯＳ受光素子よりなるカメラ部１２、８を有する撮影部９に連結された連結棒７と携帯電話器１０とを取り付け固定するものである。
【００１８】
ホルダ１１が携帯電話器１０を固定する構造は図２に示すように携帯電話器１０を保持部２８に載置して一対のねじ１３により携帯電話器１０の側部（表示部の側部）を両側から挟み持って固定するようになっている。
【００１９】
このため、固定前に携帯電話器１０を上下左右に移動調整すればカメラ部１２の光軸の中心と表示部２６との中心合わせが自由に出来ると共に、携帯電話器１０の機種が変わっても対応して固定できるものである。カメラ部１２はカメラ保持部８に取り付けられ、カメラ部１２は着脱可能になっている。このカメラ保持部８は位置調整部３１によりカメラ部１２と表示部２６との間隔を調整できるようになっており、この調整により撮影する際の撮影画枠の大きさ調整が出来る。
【００２０】
カメラ部１２には電源供給および映像信号伝送用のケーブル１６が取り付けられている。
【００２１】
このようにホルダ１１はカメラ部１２と携帯電話器１０とを合体させているため、通話者Ａは片手でこれらを持って手ぶれも無く簡単に表示部２６の映像をカメラ部１２により撮影してケーブル１６を介してＴＶ１３で拡大して見ることが出来る。
【００２２】
この時、カメラ部１２の出力信号がＴＶ１３に電気的に直接入力出来ない場合は、ＴＶ１３に入力出来る信号に変換する信号変換器が必要なのは云うまでもない。
【００２３】
次に、分配器１５について説明する。図３は分配器の外観図である。図３に示すように、側面には、ＬＩＮＥ−ＯＵＴ端子（アンプ・拡声装置等用）と、ＬＩＮＥ−ＩＮ端子（音源）、ＴＥＬ端子（ＦＯＭＡ、携帯電話器）、ＥＡＲＰＨＯＮＥ端子（ヘッドセット、イヤホン用）を備えている。また、電源部には、イヤホン音量調整ボリューム３５ａ、マイク感度調整ボリューム３５ｂ、外部音声入力レベルボリューム３５ｃ、外部音声出力レベルボリューム３５ｄを備えている。
【００２４】
イヤホーン音量調整ボリューム３５ａは、イヤホンから聞こえてくる相手の声の大きさを調整する。
【００２５】
マイク感度調整ボリューム３５ｂは、マイクの感度を調整する。外部音声入力ボリューム３５ｃは、ＬＩＮＥ−ＩＮ端子より入力される音声レベルを調整する。外部音声出力ボリューム３５は、ＬＩＮＥ−ＯＵＴ端子より出力される音声レベルを調整する。
【００２６】
図４は分配器の概略構成図である。外部（例えばミキサ、マイク）からの音声信号が供給されるＬＩＮＥ−ＩＮ端子には抵抗、コンデンサ等を介して音声を抽出、増幅、減数させる高低域抽出部４０と、ＴＥＬ端子には、抵抗、コンデンサ等によって音声信号を抽出して、これを増幅する増幅器４１とを有している。また、ＥＡＲＰＨＯＮＥ端子には、イヤホンマイクからの音声信号を増幅する増幅器４２とを有している。また、ＬＩＮＥ−ＯＵＴ端子に出力が接続され、ＥＡＲＰＨＯＮＥ端子から音声信号とＴＥＬ端子からの音声信号との差動を取る差動アンプ４３とが設けられている。また、ＥＡＲＰＨＯＮＥ端子には、ＴＥＬ端子からの音声信号を増幅するアンプ４４の出力が接続されている。さらに、ＥＡＲＰＨＯＮＥ端子から音声信号とＬＩＮ−ＩＮ端子からの音声信号との差動をとる差動アンプ４５の出力が接続されている。
【００２７】
すなわち、ＬＩＮ−ＩＮ端子からの音声信号は、ＴＥＬ端子に分配され、ＴＥＬ端子からの音声信号はＬＩＮ−ＯＵＴ端子及びＥＡＲＰＨＰＯＮＥ端子に分配される。また、ＥＡＲＰＨＰＯＮＥ端子からの音声信号は、ＬＩＮ−ＯＵＴ端子とＴＥＬ端子とに分配される。従って、携帯電話器に向かって話しをすると、テレビジョン、ヘッドセット、携帯電話器に送出される。
【００２８】
上記した増幅器はいずれも演算増幅器で構成されているが、それぞれの増幅回路の利得は非常に小さく設定してあり、バッファアンプの要素が大きい。
【００２９】
従って、各端子において、入力インピーダンスは大きく、出力インピーダンスは小さくなっているため、各端子に接続されるケーブルが長くなっても問題が少ない。
【００３０】
すなわち、信号のミキシング関係のみで纏めると次のようになる。
【００３１】
（１）ライン入力信号とヘッドセットのマイクからの信号とがミキシングされて、携帯電話器のイヤホンへの入力信号となる。
【００３２】
（２）ライン入力信号、携帯電話器のマイクからの信号およびヘッドホン・マイクセットのマイクからの信号とがミキシングされてライン出力信号となる。
【００３３】
（３）携帯電話器のマイクからの信号はヘッドホン・マイクセットのヘッドホンへの信号となる。
【００３４】
以上の事から通話者Ａと司会者Ｅとは互いにイヤホン・マイクとヘッドホン・マイクセットで会話が出来る事になる。
【００３５】
従って、例えば、結婚式において会場内には出席者Ｃ、新郎新婦Ｄ、ヘッドホン・マイクセットを装着した司会者Ｅがおる場合で、会場内を携帯電話器のカメラで撮影すると、表情の映像と音声をＴＶに送られることになるので、新郎新婦Ｄおよび出席者Ｃの多くの人達が同時にタイムリーに見聞きできるものである。
【００３６】
一方、携帯電話器の表示部には通話者Ａが携帯電話器のカメラを操作することにより、会場内の情景が映し出され、通話者Ｂも会場の雰囲気を感じながら臨場感のある祝辞を述べることが出来る。
【００３７】
なお、本実施例では通話者Ｂは会場外に居るが、会場内に出席していてもネットワークを介して通話をする限り本発明は適用できる。
【００３８】
表示部に表示される映像は、通話者Ａが携帯電話器に設けられている操作ボタンの操作によりカメラで撮影した映像または通話者Ｂから送信されてきた映像を切換える事により、映像の選択が可能である。
【００３９】
なお、本発明は上記実施例に限定される事無く、例えば講演会、イベント会場、や会議等にも適用できる。
【００４０】
また、携帯電話器に設けられている映像の切換え手段を説明するための図であり、同図において操作ボタンの操作によりＣＰＵ（中央演算装置）がこれを判別し、スイッチ回路を動作させる事により切換えることも可能である。
【００４１】
【発明の効果】
本発明は携帯電話器を高画素の外部カメラ付きホルダで固定させて撮影し、この映像をＴＶに出力し、携帯電話器からの音声を分配器で撮影者のヘッドセット、ＴＶに分配出力する。このため、例えば、結婚式の実況中継を携帯電話器を用いて行うことが可能となるので、携帯電話器の用途の拡大、即ち、情報伝達の理解支援、利便性、臨場感の拡大をもたらす。
【図面の簡単な説明】
【図１】本実施の形態の携帯電話器の映像システムの概略構成図である。
【図２】本実施の形態のホルダの概略構成図である。
【図３】分配器の外観図である。
【図４】分配器の概略構成図である。
【符号の説明】
１０  携帯電話器
１１  ＣＣＤカメラ付きのホルダー
１２  ＣＣＤカメラ
１３  テレビジョン
１５  分配器
【図１】
2004312280.tif 000003
【図２】
2004312280.tif 000004
【図３】
2004312280.tif 000005
【図４】
2004312280.tif 000006